(57)【特許請求の範囲】
【請求項１】
会員端末からオリジナル画像データをサーバーにアップロードして絵画調画像に変換し、会員間で閲覧可能にネットワーク上に公開する絵画変換システムにおいて、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、絵画変換に関して所定の関連性のある会員とを自動的にグルーピングするグルーピング手段と
を備えることを特徴とする絵画変換ＳＮＳシステム。
【請求項２】
前記グルーピング手段は、
前記オリジナル画像データをアップロードした会員と、前記画像データを前記絵画変換手段により絵画調画像データに変換した会員とをグルーピングする
ことを特徴とする請求項１記載の絵画変換ＳＮＳシステム。
【請求項３】
前記グルーピング手段は、
前記オリジナル画像データを絵画調画像データに変換した会員と、当該画像データを他の種類の絵画調画像データに変換した会員とをグルーピングする
ことを特徴とする請求項１または２に記載の絵画変換ＳＮＳシステム。
【請求項４】
前記グルーピング手段は、
前記オリジナル画像データを絵画調画像データに変換した会員と、当該絵画調画像データを更に他の種類の絵画調画像データに変換した会員とをグルーピングする
ことを特徴とする請求項１乃至３に記載の絵画変換ＳＮＳシステム。
【請求項５】
前記絵画変換手段は、
選択された種類で既に絵画変換されている絵画調画像データを更に他の種類の絵画調画像データに変換する際に、一旦、変換前の画像データに戻してから新たに前記他の種類の絵画調画像データに変換することを特徴とする請求項１乃至４に記載の絵画変換ＳＮＳシステム。
【請求項６】
前記絵画変換手段は、
選択された種類で既に絵画変換されている絵画調画像データを更に他の種類の絵画調画像データに変換する際に、前記パラメータが所定以上異なっている場合は変換を禁止することを特徴とする請求項１乃至４に絵画変換ＳＮＳシステム。
【請求項７】
前記グルーピング手段は、
選択された種類で既に絵画変換されている絵画調画像データを更に他の種類の絵画調画像データに変換する際に、前記パラメータが所定以上異なっている場合はグルーピングしないことを特徴とする請求項１乃至４に記載の絵画変換ＳＮＳシステム。
【請求項８】
前記グルーピング手段は、
会員が、前記絵画変換手段により画像データを絵画調画像データに変換した際のパラメータが、所定以上近い絵画調画像データを作成した会員を互いにグルーピングし、グルーピング情報を作成することを特徴とする請求項１記載の絵画変換ＳＮＳシステム。
【請求項９】
前記閲覧制御手段は、
前記会員端末に複数の絵画調画像データを一覧表示させ、且つ、前記グルーピングされている会員の絵画調画像データを一連のつながりで表示させることを特徴とする請求項１乃至８いずれかに記載の絵画変換ＳＮＳシステム。
【請求項１０】
前記会員端末は、
更に、腕に装着可能で表示部を備えたリスト端末と無線によりデータ交換可能であることを特徴とする請求項１乃至９いずれかに記載の絵画変換ＳＮＳシステム。
【請求項１１】
前記リスト端末は、
前記ネットワーク上に公開された画像データまたは絵画調画像データを前記表示部で閲覧可能であることを特徴とする請求項１０記載の絵画変換ＳＮＳシステム。
【請求項１２】
前記グルーピングされている会員同士の前記リスト端末が、所定の範囲内に近づいたとき、報知を行う報知手段を更に備えることを特徴とする請求項１０または１１いずれかに記載の絵画変換ＳＮＳシステム。
【請求項１３】
前記リスト端末が備える前記報知手段は、
常時は時刻情報を表示しており、前記所定の範囲内に近づいたとき、前記グルーピングしている会員のプロフィール画像データを表示することを特徴とする請求項１２記載の絵画変換ＳＮＳシステム。
【請求項１４】
前記リスト端末が備える前記報知手段は、
常時は時刻情報を表示しており、前記所定の範囲内に近づいたとき、前記グルーピングしている会員の絵画調画像データを表示することを特徴とする請求項１２記載の絵画変換ＳＮＳシステム。
【請求項１５】
前記リスト端末は、
前記サーバーとインターネットを介して接続可能なことを特徴とする請求項１１乃至１４いずれかに記載の絵画変換ＳＮＳシステム。
【請求項１６】
前記リスト端末は、
前記表示部に前記絵画調画像データを表示するとともに、第１の方向に画面送り操作をすると、異なる種類の絵画調画像データを順次表示していき、前記第１の方向と交差する第２の方向に画面送り操作をすると、前記グルーピングされている他の会員のプロフィール画像を順次表示していくことを特徴とする請求項１１乃至１５いずれかに記載の絵画変換ＳＮＳシステム。
【請求項１７】
前記リスト端末は、
前記表示部に１枚の前記絵画調画像データを表示するとともに、第１の方向に画面送り操作をすると、当該表示している絵画調画像データの種類とは異なる種類の絵画調画像データを順次表示していき、前記第１の方向と交差する第２の方向に画面送り操作をすると、前記グルーピングされている他の会員の絵画調画像データが順次表示していくことを特徴とする請求項１１乃至１５いずれかに記載の絵画変換ＳＮＳシステム。
【請求項１８】
前記リスト端末はセンサを備え、前記画像送り操作は該センサの検知信号によって行うことを特徴とする請求項１６または１７に記載の絵画変換ＳＮＳシステム。
【請求項１９】
前記リスト端末はセンサを備え、前記画像送り操作による該センサの検知信号によって前記絵画変換のためのパラメータを変更することを特徴とする請求項１０乃至１５に記載の絵画変換ＳＮＳシステム。
【請求項２０】
会員端末からオリジナル画像データをサーバーにアップロードして絵画調画像に変換し、会員間で閲覧可能にネットワーク上に公開する絵画変換ＳＮＳの方法であって、
前記サーバーは、
前記会員端末とデータを送受信する処理と、
複数種類の絵画調の中から種類を選択し、画像データをパラメータに応じて絵画調画像データに変換する絵画変換処理と、
前記選択された種類で絵画変換された絵画調画像データを前記会員端末にて閲覧可能にする閲覧制御処理と、
前記オリジナル画像データをアップロードした会員と、絵画変換に関して所定の関連性のある会員とを自動的にグルーピングしグルーピング情報を作成する処理と、
前記会員端末と無線接続されるリスト端末と、前記グルーピング情報を含むデータを送受信する処理と
を含むことを特徴とする絵画変換ＳＮＳの方法。
【請求項２１】
前記グルーピングした会員に共通に情報を発信する処理を更に含むことを特徴とする請求項２０記載の絵画変換ＳＮＳの方法。
【請求項２２】
会員端末からアップロードされたオリジナル画像データを絵画調画像に変換し、会員間で閲覧可能にネットワーク上に公開する絵画変換ＳＮＳ装置において、
複数種類の絵画調の中から種類を選択し、画像データをパラメータに応じて絵画調画像データに変換する絵画変換手段と、
前記絵画変換手段により選択された種類で絵画変換された絵画調画像データを前記会員端末にて閲覧可能にする閲覧制御手段と、
前記オリジナル画像データをアップロードした会員と、絵画変換に関して所定の関連性のある会員とを自動的にグルーピングするグルーピング手段と
を含むことを特徴とする絵画変換ＳＮＳ装置。
【請求項２３】
会員端末からオリジナル画像データをサーバーにアップロードして絵画調画像に変換し、会員間で閲覧可能にネットワーク上に公開する公開手段と、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、前記絵画変換手段による絵画変換に関して所定の関連性のある会員とを自動的にグルーピングするグルーピング手段と
を備える絵画変換ＳＮＳシステムに用いるリスト端末であって、
前記会員端末とデータ交換可能に無線接続する無線接続手段と、
前記無線接続手段を介して前記会員端末から受信した絵画調画像データを表示する表示部と、
センサと、
前記表示部に前記絵画調画像データを表示するとともに、前記センサが第１の方向の画面送り操作を検出すると、異なる絵画調画像データを順次表示していき、前記第１の方向と交差する第２の方向の画面送り操作を検出すると、前記グルーピングされている他の会員のプロフィール画像を順次表示していく表示制御手段とを備え、
腕に装着可能であることを特徴とするリスト端末。
【請求項２４】
会員端末からオリジナル画像データをサーバーにアップロードして絵画調画像に変換し、会員間で閲覧可能にネットワーク上に公開する公開手段と、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、前記絵画変換手段による絵画変換に関して所定の関連性のある会員とを自動的にグルーピングするグルーピング手段と
を備える絵画変換ＳＮＳシステムに用いるリスト端末であって、
前記会員端末とデータ交換可能に無線接続する無線接続手段と、
前記無線接続手段を介して前記会員端末から受信した画像データを表示する表示部と、
センサと、
前記表示部に１枚の前記絵画調画像データを表示するとともに、前記センサが第１の方向の画面送り操作を検出すると、当該表示している絵画調画像データの種類とは異なる種類の絵画調画像データが順次表示していき、前記第１の方向と交差する第２の方向の画面送り操作を検出すると、前記グルーピングされている他の会員のプロフィール画像を順次表示していく表示制御手段とを備え、
腕に装着可能であることを特徴とするリスト端末。
【請求項２５】
絵画変換ＳＮＳシステムにおける前記絵画変換手段は、当該リスト端末の前記センサの検知信号により、公開した画像データを絵画調の画像データに変換する手段を備えることを特徴とする請求項２３または２４いずれかに記載のリスト端末。
【発明の詳細な説明】
【技術分野】
【０００１】
本発明は、絵画変換サービスを提供する絵画変換ＳＮＳ（ソーシャル・ネットワーク・サービス）システム及び方法、絵画変換ＳＮＳ装置並びにリスト端末に関する。
【背景技術】
【０００２】
近年、会員制コミュニケーションサービス（ソーシャル・ネットワーク・サービス、以下ＳＮＳという）が普及してきている。ＳＮＳシステムは一般的にツリー構造ではなくセミラティス構造で構成されている。セミラティス構造とは、上位の集合の中に下位の集合がすべて含まれるツリー集合とは異なり、一つの集合の構成要素が複数の下位集合に包含され、集合の包含関係が入り組み絡み合った集合となっているものである。
【０００３】
そしてＳＮＳシステムにはフレンド（友人）という概念があり（例えば、特許文献１参照）、フレンドも集合のひとつである。フレンドは、ある会員に注目したとき、所定の条件を満たした会員、例えばフレンド申請を許可された会員である。
【０００４】
例えば、図２１に、会員Ａに注目した場合のフレンドネットワークを示す。会員Ｂ（以下、会員を省略し単にＡ、Ｂ、・・・という）、Ｃ、ＤがＡとフレンド関係にあり、Ｂ１、Ｂ２がＢのフレンド関係にあり、Ｂ１１、Ｂ１２がＢ１とフレンド関係にある。更に、Ｄ１はＤとフレンド関係にあり、Ｄ１１、Ｄ１２がＤ１とフレンド関係にある。
【０００５】
ここで、同図ｒ１に示すように、ＡのフレンドであるＤのフレンドＤ１の更にフレンドＤ１２がＡとフレンド関係にある場合もあり得る。
【０００６】
さて、このようなＳＮＳにおいて、ネットワークを介してサーバー上に蓄積された写真を会員同士で見せ合うことも多い（例えば、特許文献２参照）。
【０００７】
以下、会員が写真をサーバーにアップロードし、その写真をそのまま、あるいは画像処理してネット上に公開するものを「作品」という。また作品のサムネイルのことも作品ということとする。
【０００８】
本ＳＮＳシステムでは、画像データの絵画変換サービスを提供している。絵画変換には、油絵調、水彩画調、パステル調、色鉛筆調、エアブラシ調、ゴシック調、野獣派調、ドローイング調、淡い水彩画調、点描画調、等、多数の種類があるが、各絵画変換の画調は夫々独自の特徴や特異性を有している。したがって、いずれの絵画変換の種類が選択されるかは当該会員の嗜好に応じて異なり、当該会員の嗜好に合った絵画変換の種類が選択される場合が多い。
【先行技術文献】
【特許文献】
【０００９】
【特許文献１】特許第４６２５３６５号公報（特開２００６−３０９６６０号公報）
【特許文献２】特開２００８−２４２６３９号公報
【発明の概要】
【発明が解決しようとする課題】
【００１０】
特許文献１記載の技術では、単に会員同士で希望した相手とフレンド関係を築くだけのものであり、特許文献２記載の技術では、投稿された写真を共有するだけのものであって、ＳＮＳに絵画変換技術を融合して興趣性を高めたり、あるいは逆に絵画変換技術にＳＮＳを融合したりして興趣性を高めることが行われてはいないのが実情であった。
【００１１】
本発明は、係る実情に鑑みてなされたものであり、ＳＮＳに絵画変換技術を融合して興趣性を高めることのできる絵画変換ＳＮＳシステム及び方法、絵画変換ＳＮＳ装置を提供することを目的とするものである。
また、本発明は、上記絵画変換ＳＮＳシステムに用いられることにより、表示及び表示変化に関しての興趣性を高めることのできるリスト端末を提供することを目的とするものである。
【課題を解決するための手段】
【００１２】
前記課題を解決するために請求項１記載の発明では、会員端末からオリジナル画像データをサーバーにアップロードして絵画調画像に変換し、会員間で閲覧可能にネットワーク上に公開する絵画変換システムにおいて、複数種類の絵画調の中から種類を選択し、画像データをパラメータに応じて絵画調画像データに変換する絵画変換手段と、前記絵画変換手段により前記種類で絵画変換された絵画調画像データを前記会員端末にて閲覧可能にする閲覧制御手段と、前記オリジナル画像データをアップロードした会員と、絵画変換に関して所定の関連性のある会員とを自動的にグルーピングするグルーピング手段とを備えることを特徴とする絵画変換ＳＮＳシステムを提供するものである。
【００１３】
また、請求項２０記載の発明では、会員端末からオリジナル画像データをサーバーにアップロードして絵画調画像に変換し、会員間で閲覧可能にネットワーク上に公開する絵画変換ＳＮＳの方法であって、前記サーバーは、前記会員端末とデータを送受信する処理と、複数種類の絵画調の中から種類を選択し、画像データをパラメータに応じて絵画調画像データに変換する絵画変換処理と、前記選択された種類で絵画変換された絵画調画像データを前記会員端末にて閲覧可能にする閲覧制御処理と、前記オリジナル画像データをアップロードした会員と、絵画変換に関して所定の関連性のある会員とを自動的にグルーピングしグルーピング情報を作成する処理と、前記会員端末と無線接続されるリスト端末と、前記グルーピング情報を含むデータを送受信する処理とを含むことを特徴とする絵画変換ＳＮＳの方法を提供するものである。
【００１４】
また、請求項２２記載の発明では、会員端末からアップロードされたオリジナル画像データを絵画調画像に変換し、会員間で閲覧可能にネットワーク上に公開する絵画変換ＳＮＳ装置において、複数種類の絵画調の中から種類を選択し、画像データをパラメータに応じて絵画調画像データに変換する絵画変換手段と、前記絵画変換手段により選択された種類で絵画変換された絵画調画像データを前記会員端末にて閲覧可能にする閲覧制御手段と、前記オリジナル画像データをアップロードした会員と、絵画変換に関して所定の関連性のある会員とを自動的にグルーピングするグルーピング手段とを含むことを特徴とする絵画変換ＳＮＳ装置を提供するものである。
【００１５】
また、請求項２３記載の発明では、会員端末からオリジナル画像データをサーバーにアップロードして絵画調画像に変換し、会員間で閲覧可能にネットワーク上に公開する公開手段と、複数種類の絵画調の中から種類を選択し、画像データをパラメータに応じて絵画調画像データに変換する絵画変換手段と、前記絵画変換手段により前記種類で絵画変換された絵画調画像データを前記会員端末にて閲覧可能にする閲覧制御手段と、前記オリジナル画像データをアップロードした会員と、前記絵画変換手段による絵画変換に関して所定の関連性のある会員とを自動的にグルーピングするグルーピング手段とを備える絵画変換ＳＮＳシステムに用いるリスト端末であって、前記会員端末とデータ交換可能に無線接続する無線接続手段と、前記無線接続手段を介して前記会員端末から受信した絵画調画像データを表示する表示部と、センサと、前記表示部に前記絵画調画像データを表示するとともに、前記センサが第１の方向の画面送り操作を検出すると、異なる絵画調画像データを順次表示していき、前記第１の方向と交差する第２の方向の画面送り操作を検出すると、前記グルーピングされている他の会員のプロフィール画像を順次表示していく表示制御手段とを備え、腕に装着可能であることを特徴とするリスト端末を提供するものである。
【００１６】
また、請求項２４記載の発明では、会員端末からオリジナル画像データをサーバーにアップロードして絵画調画像に変換し、会員間で閲覧可能にネットワーク上に公開する公開手段と、複数種類の絵画調の中から種類を選択し、画像データをパラメータに応じて絵画調画像データに変換する絵画変換手段と、前記絵画変換手段により前記種類で絵画変換された絵画調画像データを前記会員端末にて閲覧可能にする閲覧制御手段と、前記オリジナル画像データをアップロードした会員と、前記絵画変換手段による絵画変換に関して所定の関連性のある会員とを自動的にグルーピングするグルーピング手段とを備える絵画変換ＳＮＳシステムに用いるリスト端末であって、前記会員端末とデータ交換可能に無線接続する無線接続手段と、前記無線接続手段を介して前記会員端末から受信した画像データを表示する表示部と、センサと、前記表示部に１枚の前記絵画調画像データを表示するとともに、前記センサが第１の方向の画面送り操作を検出すると、当該表示している絵画調画像データの種類とは異なる種類の絵画調画像データが順次表示していき、前記第１の方向と交差する第２の方向の画面送り操作を検出すると、前記グルーピングされている他の会員のプロフィール画像を順次表示していく表示制御手段とを備え、腕に装着可能であることを特徴とするリスト端末を提供するものである。
【発明の効果】
【００１７】
本発明に係る絵画変換ＳＮＳシステム及び方法、絵画変換ＳＮＳ装置によれば、ＳＮＳに絵画変換技術を融合して興趣性を高めることができ、あるいは絵画変換技術にＳＮＳを融合して興趣性を高めることができる。
また、本発明に係るリスト端末によれば、上記絵画変換ＳＮＳシステムに用いることにより、表示及び表示変化に関して興趣性を高めることができる。
【図面の簡単な説明】
【００１８】
【図１】端末とリスト端末のイメージを示す図である。
【図２】リスト端末の回路構成の概略を示すロック図である。
【図３】全体構成を示すブロック図である。
【図４】端末とリスト端末の使用状態のイメージを示す図である。
【図５】リスト端末の表示例を示す図である。
【図６】端末とリスト端末の表示例を示す図であり、同図（ａ）はリスト端末に１枚の作品を表示している状態、同図（ｂ）はスマートフォン型端末に複数の作品を一覧表示している状態を示すものである。
【図７】リスト端末の表示手順を示す図である。同図（ａ）はリスト端末の表示手順であり、１枚の作品が表示されている。これを中心として、同図（ｂ）は縦方向（Ｙ方向）上側に送った場合の表示手順、同図（ｃ）は横方向（Ｘ方向）右側に送った場合の表示手順、同図（ｄ）は縦方向（Ｙ方向）下側に送った表示手順、同図（ｅ）は横方向（Ｘ方向）左側に送った場合の表示手順を示す。
【図８】リスト端末の他の表示手順を示す図であり、縦方向（Ｙ方向）に送った場合は会員のプロフィール画像が順次表示され、横方向（Ｘ方向）に送った場合は、選択されている会員の作品が順次表示される手順を説明するための図である。
【図９】ＳＮＳサイトを実現するサーバーの構成の要部を示すブロック図である。
【図１０】会員エリアの詳細を示すブロック図である。
【図１１】会員属性情報の内容を示す図である。
【図１２】画像属性情報の内容を示す図である。
【図１３】絵画変換処理の処理手順を示すフローチャートである。
【図１４】アップロード・投稿処理の処理手順を示すフローチャートである。
【図１５】閲覧処理の処理手順を示すフローチャートである。
【図１６】グルーピング更新の処理手順を示すフローチャートである。
【図１７】パラメータ比較の処理手順を示すフローチャートである。
【図１８】グルーピングの処理手順を示すフローチャートである。
【図１９】グルーピングの例を示す図である。
【図２０】グルーピングされた会員の関係を説明するための図である。
【図２１】背景技術であるＳＮＳにおいてフレンド関係を説明するための図である。
【発明を実施するための形態】
【００１９】
以下、本発明の実施の形態について図面を参照して説明する。
【００２０】
図１は、本発明の一実施の形態に係る絵画変換ＳＮＳシステムに用いられる端末１−１とリスト端末２−１を示すイメージ図である。同図に示すように、端末１−１とリスト端末２−１は、例えばＢｌｕｅｔｏｏｔｈ（登録商標）で無線接続されてデータ交換が可能である。更に、Ｗｉ−Ｆｉなどにより直接インターネット５００を介してＳＮＳサイト１０に接続可能である。また、リスト端末２−１は、腕時計形状に構成され、表示部４０を有する。
【００２１】
図２は、リスト端末２−１の回路構成を示すブロック図である。図示のようにリスト端末２−１は、制御部４０２と、プログラム記憶部４０３、ユーザデータ記憶部４０４、ＧＰＳ部４０５、通信部４０６、時計部４０７、加速度センサ部４０８、前記表示部４０、入力部４１０を備えている。
【００２２】
制御部４０２は、ＣＰＵ（Central Processing Unit）、及びＣＰＵの周辺回路と、ＲＡＭ（Random Access memory）等の作業用メモリ等とから構成され、リスト端末２−１の全体の動作を制御する。
【００２３】
ＧＰＳ部４０５は、公知のＧＰＳ（Global Positioning System）を利用して現在位置を計測する。すなわちＧＰＳ部４０５は、複数の測位衛星（ＧＰＳ衛星）から送られてくる電波をアンテナ５ａにより受信することによって、現在位置を示す緯度、経度からなる位置データを取得し、取得した位置データを、使用者の行動場所を示す場所情報として制御部４０２に供給する。
【００２４】
通信部４０６は、例えばＢｌｕｅｔｏｏｔｈ（登録商標）で無線通信機能を備えるものであり、端末１−１に無線接続してデータ交換が可能であるとともに、Ｗｉ−Ｆｉで直接ＳＮＳサイト１０に接続する機能を備えている。
【００２５】
時計部４０７は、現在時刻をカウントし、現在時刻を示す時刻データを制御部４０２に供給する。さらに時計部４０７はカレンダー機能を有しており、現在の日付データ、曜日データも制御部４０２に供給する。
【００２６】
加速度センサ部４０８は、主として加速度センサと、加速度センサの検出信号を増幅するアンプ、及びＡ／Ｄ変換器から構成され、リスト端末２−１における２軸方向（図７に示すように、左右方向（Ｘ方向）と上下方向（Ｙ方向））の加速度の変化を示す波形データを、ユーザの動作を示す動作情報として制御部４０２に供給する。
【００２７】
プログラム記憶部４０３は、制御部４０２（具体的にはＣＰＵ）がリスト端末２−１の制御に必要とする各種のプログラムやデータを記憶するＲＯＭ（Read Only Memory）等である。プログラム記憶部４０３に記憶されているプログラムには、制御部４０２に後述する図７及び図８の表示遷移図に示す表示可変処理を実行させるプログラムが含まれる。前記端末１−２にはこのＳＮＳサイト１０を利用するためのアプリケーションプログラムが記憶されているが、このリスト端末２−１のプログラム記憶部４０３には、同様にＳＮＳサイト１０を利用するためのアプリケーションプログラムであって、端末１−２のアプリケーションプログラムよりは軽いアプリケーションプログラムが記憶されている。
【００２８】
図３は、本実施の形態の全体構成を示すブロック図である。
サーバー１１を含むＳＮＳサイト１０は、インターネット５００を介して会員の端末１−１、１−２、１−３、・・・と接続される。端末１−１、１−２、１−３、・・・はスマートフォン、パーソナルコンピュータ等である。また、２−１、２−２、２−３、・・・は前述した腕に装着可能な腕時計型のリスト端末であり、端末１−１、１−２、１−３と無線で接続される。
【００２９】
図４は、端末１−１とリスト端末２−１を使用するイメージを示すもので、同図（ａ）は会員Ａが端末１−１を保有して携帯電話回線及びインターネットを介してＳＮＳサイト１０へ接続するともに、リスト端末２−１も保有し、一部の情報、例えばグルーピングされている会員のプロフィール情報や、絵画調画像データ等の作品、メール等をリスト端末２−１で受信する。
このような使用態様によれば、リスト端末２−１はインターネット５００への接続機能を有せずとも、フレンド会員のプロフィール情報や、メール等を受信することができる。
【００３０】
同図（ｂ）は、会員Ｂが端末１−１を保有し、端末１−１を保有していない会員Ｃがリスト端末２−１を保有しているとき、会員Ｂと会員Ｃが所定範囲内に近づいた場合、会員Ｂの端末１−１と会員Ｃのリスト端末２−１の間でデータ交換が可能になる例を示している。
このような使用態様によれば、会員Ｃはインターネット５００への接続機能を有する端末１−１を所持していなくとも、インターネット５００を介して取得した情報を得ることができる。
【００３１】
図５は、リスト端末２−１の表示例を示すもので、同図（ａ）のように通常は、現在年月日、曜日、時刻等からなる時刻表示Ｐ４を行っている。そして、グルーピングされた他の会員が所定範囲内に近づいたことを検出して、自動的にその近づいた会員のプロフィール画像、若しくは作品を表示する。同時に音声や振動で報知してもよい。
【００３２】
ここで、所定範囲内とは、所定距離内、電波強度が所定以上強くなった場合等である。リスト端末２−１にＧＰＳを内蔵することにより存在位置と時間を特定できるので、同時刻での比較のみならず、数分前に近くに会員が居た、というような表示も可能である。
そしてこのリスト端末２−１でも絵画調に変換された画像データである作品を閲覧することができる。
【００３３】
これにより、会員が端末をバッグ等にしまっていても、腕時計としてリスト端末を装着していれば、手軽に自己又はフレンド会員やグルーピングされている会員のプロフィール画像を確認したり、作品を閲覧したりすることができる。
【００３４】
図６は端末１−１とリスト端末２−１の表示例を示す図であり、同図（ａ）はリスト端末に１枚の作品を表示している状態、同図（ｂ）はスマートフォン型端末１−１に複数の作品を一覧表示している状態を示すものである。すなわち、同図（ｂ）はスマートフォン型の端末１−１の表示部３１に、Ｗ１〜Ｗ１２の１２個の作品を一覧表示している状態を示し、同図（ａ）はリスト端末２−１の表示部４０に前記作品Ｗ１〜Ｗ１２のうちのＷ５を表示している状態を示す。
【００３５】
このとき、スマートフォン型の端末１−１の表示部３１とリスト端末２−１の表示部４０との表示面積は異なり、リスト端末２−１の表示部４０の表示面積は、スマートフォン型の端末１−１の表示部３１の表示面積よりも小さい。
【００３６】
リスト端末２−１には、１つの作品のサムネイルＷ５を表示しており、スマートフォン型端末１−１には前記作品Ｗ５を中心にＷ１〜Ｗ１２の１２個の作品のサムネイルを表示している。この表示は、新着順でも、同じ会員の作品でも、同じ絵画調の作品でも、あるいはランダムでも任意である。
そして、グルーピングされている会員の作品は同図（ｂ）図で示すように鎖状の連結表示Ｌで結びつけを示す表示を行っている。
【００３７】
また、グルーピングされている会員の作品のみを一覧表示することができる。その場合は、同じグループにグルーピングされている会員の作品を抽出し、表示バッファ３０に集約する。そして、すべての作品Ｗ１〜Ｗ１２に連結表示Ｌが表示されることになる。連結表示Ｌとして鎖状は一例であって、例えば作品の周囲を同色で着色してもよい。Ｗ１〜Ｗ５が１つのグループ、Ｗ６〜Ｗ９が他のグループ、Ｗ１０〜Ｗ１２が更に他のグループであるとすると、Ｗ１〜Ｗ５の周囲を黄色で着色し、Ｗ６〜Ｗ９の周囲を緑で着色し、更にＷ１０〜Ｗ１２の周囲を水色で着色することが考えられる。
【００３８】
図７は、リスト端末２−１の表示例を示す図である。中央（ａ）はリスト端末２−１の表示部４０であり、１枚の絵画調画像の作品であるＷ５が表示されている。これを中心として、当該リスト端末２−１を上下方向（Ｙ方向）または左右方向（Ｘ方向）に振ると、内蔵されている加速度センサ部４０８がそれを検知し、制御部４０２がプログラム記憶部４０３に記憶されているプログラムに従って、表示部４０に表示する画像を送る処理を実行する。例えば同図（ｂ）は縦方向（Ｙ方向）上側に送った場合の表示例、同図（ｃ）は横方向（Ｘ方向）右側に送った表示例、（ｄ）は、縦方向（Ｙ方向）下側に送った表示例、（ｅ）は横方向（Ｘ方向）左側に送った表示例を示す。この送り操作は、リスト端末２−１が加速度センサ部４０８を内蔵しているので、軽く上下左右に振るだけで送り操作ができる。また、手首のひねり動作により送り操作を行ってもよいし、表示部４０にタッチパネルを形成してあり、スライド操作で行ってもよい。
【００３９】
左右に振ると、制御部４０２は同じグルーピングされている他の会員のプロフィール画像を順次表示する制御を実行し（例えばＰ１Ｂ、Ｐ１Ｃ）、上下に振ると、今、リスト端末２−１の表示部４０に表示されている絵画調画像データを他の種類の絵画調に変換した絵画調画像データを順次表示する制御を実行する（例えばＷ４、Ｗ６）。
【００４０】
また、変形例として、左右に振ると、同じグルーピングされている他の会員の作品を順次表示し、上下に振ると、リスト端末の表示部に表示されている自分の作品である絵画調画像データを、他の種類の絵画調に変換した絵画調画像データを順次表示する。絵画変換処理は、加速度センサ部４０８により加速度を検知してから行ってもよいし、予め変換され用意されている画像を表示してもよい。後者の場合は、仮想空間上に多数の絵画調画像データが配置されており、リスト端末２−１をその仮想空間上で移動させることによって表示部に表示していく。
【００４１】
図８は、リスト端末２−１の他の表示例を示す図であり、縦方向（Ｙ方向）に送った場合は会員のプロフィール画像が順次表示され、横方向（Ｘ方向）に送った場合は、選択されている会員の作品が順次表示される状態を説明するための図である。
【００４２】
すなわち、同図（ａ）に示すようにリスト端末２−１に会員Ｂのプロフィール画像Ｐ１Ｂが表示されているとする。この状態で、縦方向（Ｙ方向）に送り操作をすると、同図（ｂ）（ｃ）（ｄ）（ｅ）に示すように、制御部４０２は他の会員のプロフィール画像が表示させていく。その状態で、例えば（ａ）の状態で横方向（Ｘ方向）に送り操作すると、制御部４０２は会員Ｂの作品が同図（ｆ）（ｇ）（ｈ）（ｉ）のように表示させていく。更に（ｄ）の状態で、つまり会員Ｄのプロフィール画像Ｐ１Ｄが表示されている状態で縦方向（Ｙ方向）に送り操作をすると、同図（ｊ）（ｋ）のように会員Ｄの作品を順次表示させていく。
これにより、表示の小さなリスト端末であっても、色々な会員のプロフィール画像や作品を効率的に見ることができる。
なお、以上に説明したリスト端末２−１が表示部４０に表示させるデータは、通信部４０６により端末１−１から受信して、ユーザデータ記憶部４０４に記憶されている。
【００４３】
次に、絵画変換ＳＮＳサイト１０の具体的な構成について説明する。
【００４４】
図９はＳＮＳサイトを実現するサーバーの構成の要部を示すブロック図、図１０は、会員エリアの詳細を示すブロック図、図１１は、会員属性情報の内容を示す図、図１２は、画像属性情報の内容を示す図である。
【００４５】
図９において、サーバー１１には、会員エリア１００、共通エリア２００、制御エリア３００が設けられている。
【００４６】
会員エリア１００は、その詳細を図１０に示すように、登録会員毎に設けられるエリアで、会員を識別するための会員ＩＤ１０２と、それに対応して会員毎の各種会員属性情報１０４を有する。
【００４７】
会員属性情報１０４は、例えば図１１に示すように、氏名１０４Ａ、ハンドルネーム１０４Ｂ、性別１０４Ｃ、年齢１０４Ｄ、地域１０４Ｅ、会員種別１０４Ｆ、フレンドリスト１４０Ｊ、グループリスト１０４Ｋ、その他１０４Ｌで構成される。会員種別１０４Ｆには無料登録しただけの無料会員、有料登録した有料会員、特別な会費を払ったプレミアム会員がある。
【００４８】
フレンドリスト１４０Ｊには、当該会員のフレンド（友人）会員のＩＤが記憶される。グループリスト１０４Ｋには、当該会員がグルーピングされているグループを示す情報を記憶している。グルーピングの種類には以下のようなものがある。
（１）前記オリジナル画像データをアップロードした会員と、前記画像データを前記絵画変換手段により絵画調画像データに変換した会員とをグルーピングする。
（２）前記オリジナル画像データを絵画調画像データに変換した会員と、当該画像データを他の種類の絵画調画像データに変換した会員とをグルーピングする。
（３）前記オリジナル画像データを絵画調画像データに変換した会員と、当該絵画調画像データを更に他の種類の絵画調画像データに変換した会員とをグルーピングする。
【００４９】
また、図１０において１０６は、会員によりアップロードされた写真の画像データが記憶されるアップロード画像バッファエリア、１０８はＳＮＳサイト１０において絵画変換した絵画調画像（作品）が記憶される作品バッファエリア、１１０は他の会員の作品をダウンロードして記憶するダウンロード作品バッファエリアである。１１１はプロフィール画像が記憶されるプロフィール画像記憶エリア、１１２はプロフィール画像Ｐ２が記憶されるプロフィール画像記憶エリア、１１４は当該会員のプロフィールＰ３が記憶されるプロフィール記憶エリア、１１６は当該会員のフレンドとされた会員の会員ＩＤが記憶されるフレンドリストエリアである。
【００５０】
１１８は、グループリストエリアである。グループ毎に区分されたＮ個のエリア１１８１〜１１８Ｎで構成されている。当該会員（例えば、会員Ａ）と同じグループに属している会員（図２０参照、Ｂ，Ｃ，Ｅ，Ｆ）のＩＤが記憶される。
【００５１】
図９における共通エリア２００は、会員全体に共通して設けられるエリアで、会員がアップロードした画像を絵画調に変換した多数の作品が記憶される作品エリア２０２を含む。
【００５２】
作品エリア２０２に記憶される各作品には、その作品を識別する画像ＩＤ２０４と、画像ごとの属性を示す画像属性情報２０６とを有する。
【００５３】
画像属性情報２０６は、図１２に示すように、その作品の投稿者を示す会員ＩＤ２０６Ａ、作成日付または投稿日付等の日付情報２０６Ｂ、画像データのサイズ、絵画調の種類等の画像種別情報２０６Ｃ、その作品が閲覧された回数を示す閲覧要求数（アクセス数）情報２０６Ｄ、その作品がダウンロードされた回数を示すダウンロード数情報２０６Ｅ、その作品の評価を示すポイント情報２０６Ｆ、その作品が何に関係するか、例えば人物、自然、花、アサガオ、・・・等のタグを付帯するタグ情報２０６Ｇ、その作品がグループに属している場合、そのグループを示すグルーピング情報２０６Ｈ、その他の作品特有の情報２０６Ｉであり、これらが画像データ２０８とともに記憶されている。
【００５４】
更に、他の会員の投稿した画像データや、絵画調画像データ等の作品を、更に絵画変換する場合がある。そこで、２０６Ｋとして、元の画像データを保有している会員のＩＤを記憶する。また、絵画変換の時に使用したパラメータ群を２０６Ｊに記憶しておく。これは、既に絵画変換されている絵画調画像データを、他の種類の絵画調に変換する際に、パラメータはあまりかけ離れている種類を選択すると、不自然な画像になるので、再変換可能な絵画調の種類を、パラメータの比較によって可否判断するためのものである。
【００５５】
会員ＩＤ２０６Ａにより、作品の作者が分かり、作者が無料会員か有料会員かプレミアム会員かを判断することができる。また、タグ情報２０６Ｇによりその作品をカテゴリー分けすることができる。また、グルーピング情報２０６Ｈより、その作品をグループ分けすることができる。カテゴリー分けは、油絵調のカテゴリーや、ＨＤＲのカテゴリー等、客観的な区別のカテゴリーである。他方、グルーピングは、ひとりの会員の投稿した画像データに何らかの関連性のある、おそらくは興味がある会員をグルーピングするものであるという違いがある。
【００５６】
図９に示す制御エリア３００は、絵画変換処理部３０２、パラメータテーブル３０４、表示制御部３０８、評価制御部３１０、会員管理部３１２、グルーピング制御部３１４の各部を含んでいる。
【００５７】
絵画変換処理部３０２は、アップロード画像バッファエリア１０６に記憶された画像データを絵画調画像データに変換する絵画変換処理を行う。パラメータテーブル３０４は、絵画変換処理部３０２が、絵画変換処理に際して参照する絵画変換のためのパラメータを記憶する。表示制御部３０８は、作品を画面上に表示させる制御プログラムを記憶する。
【００５８】
評価制御部３１０は、会員エリア１００の作品バッファエリア１０８に記憶されている作品に、アクセス回数等に応じた評価を行い、作品毎にポイントを付与する。会員管理部３１２は、会員ＩＤにより会員を管理し、無料会員、有料会員、プレミアム会員別のサービスを制御する。この会員管理部３１２はＳＮＳサイト１０のＳＮＳ機能についても司っている。グルーピング制御部３１４は、会員をグルーピングする処理を行う。
【００５９】
また、サーバー１１には、ＣＰＵ２０と表示バッファ３０とが設けられている。ＣＰＵ２０は、制御エリア３００に記憶されている各種制御プログラムに基づいてサーバー１１全体を制御するとともに、インターネット上で多数の作品を一覧表示させるために必要な各種の処理を行う。また、ＣＰＵ２０は高度なグラフィック処理をするためのグラフィックアクセラレータ２２を備えている。このグラフィックアクセラレータ２２により、ドライバソフトからいくつかの条件を指定するだけで、画像を後述するようなカテゴリー別に表示させることが可能となる。なお、上記のドライバソフトは、例えば汎用性の高い公知のオープンＧＬ、およびオープンＧＬを使用するための拡張ライブラリである。
【００６０】
表示バッファ３０は、ＣＰＵ２０が多数の作品を一覧表示させる際に、表示用の画像を展開するための作業用メモリである。
【００６１】
図１３は、絵画変換処理を示すフローチャートである。
まず、絵画変換処理技術について説明する。
絵画変換とは、写真等の画像を構成する各画素を所定のパラメータ（絵画変換パラメータ）に従って変換し、油絵調、水彩画調、パステル調、色鉛筆画調、クレヨン画調、イラスト画調、点描画調、エアブラシ、シルクスクリーン調、刺繍絵調、コラージュ（糊付け）調等、いわゆる絵画調に変換する画像処理技術である。
基本的にフォトレタッチソフト等で知られている各種エフェクト処理のパラメータを調整・組み合わせて絵画調に見えるように変換する。
【００６２】
エフェクト処理としては、例えば画像にテクスチャをマッピングし、特殊な質感を与えるテクスチャ処理、画像を輪郭部・細かい模様などのテクスチャ部・平坦部に分類し、それぞれに適宜処理を施すことで、質感と解像感を高める解像度処理、色を色相(Hue)、彩度(Saturation)、明度(Value)の３要素に分類して調整するＨＳＶ処理、画像のＲ（赤）Ｇ（緑）Ｂ（青）各色の度合いを調整するＲＧＢ処理、Ｒ→Ｇ→Ｂの方向に交換するＲＧＢ交換処理、ラプラシアンフィルタと呼ばれるフィルタをかけるエッジ抽出処理、メディアンフィルタと呼ばれるフィルタをかける中間濃度抽出処理、隣接する画素のＲＧＢのヒストグラムを抽出し、それぞれ最小／中間／最大の濃度を抽出した場合の処理を行う濃度抽出処理、画像の一番暗い部分を黒、一番明るい部分を白とし、間のヒストグラムを適宜分布させ、コントラスト修正を行ったり画像のヒストグラムを引き伸ばすイコライズ処理、明るい部分と暗い部分を維持して中間的な明るさを調節するガンマ補正処理、画像の暗い領域を明るくしたり、明るい領域を暗くしたりするシャドー処理、各ピクセルのＲＧＢ値が、しきい値以上の明るさの時に、そのＲＧＢ値を反転するソラリゼーション処理、ランダムにドットを描画し、ノイズを発生させ、ノイズの量や色を調整するノイズ付加処理、などがある。
【００６３】
また、ＨＤＲ（High Dynamic Range）と呼ばれる通常の写真では表現できない広いダイナミックレンジの写真を、トーンマッピングにより狭いダイナミックレンジ幅内に入れ込むことで露出過多の白飛びや露出不足の黒つぶれを補正して表現力を増大するエフェクト処理もある。
【００６４】
すなわち、絵画変換処理は原理的にはエフェクト処理の一種であり、絵画変換アルゴリズムはエフェクト処理とパラメータの組み合わせにより各種絵画調を作り出し、その変換アルゴリズムをプログラミングしてあるものである。
【００６５】
従って、本明細書における絵画変換の定義は、油絵調や水彩画調などのいわゆる芸術的な画像への変換に限定するものではなく、エフェクト処理とパラメータの組み合わせにより得られるＨＤＲ変換や、イラスト調画像や似顔絵調画像への変換、デフォルメされた画像への変換などを含む。すなわち、オリジナルの写真を、異なった画調の画像に変換して、趣の異なった作品に変換することを絵画変換ということとする。
【００６６】
その変換アルゴリズムの中に、原画像の画素を変換するための前記パラメータのセット（組）であるパラメータ群Ｐが予め用意されている。画調の種類が１２種類あるとすると、パラメータ群Ｐ（１）〜Ｐ（１２）と表す。パラメータの決め方により変換された画像の画調も変わってくる。油絵調に変換するためのパラメータ群をＰ（１）とし、Ｐ（１）の中に油絵調に見えるように画像を変換するためのエフェクト処理に必要なパラメータがｍ個あるとすると、パラメータＰ１〜Ｐｍと表す。
【００６７】
画素は一般的にＲＧＢ各複数ビットの階調で表現されるが、パラメータはそのビットデータに演算をかけるための要素である。例えば赤成分を強調して緑成分と青成分をやや抑えるときにＲ×２、Ｇ×０．９、Ｂ×０．５、のような演算をする場合の前記“２”、“０．９”、“０．５”はパラメータである。
あるいは、予め演算要素がプログラミングされており、赤の強調度１のときはＲ×１．１、強調度２のときはＲ×１．２、強調度３のときはＲ×１．３のような演算をする場合の強調度もパラメータである。
【００６８】
また、注目画素と隣接画素の間で所定の演算をかける場合もある。例えば注目画素Ａ５（ＲＧＢ）を中心に画素Ａ１（ＲＧＢ）、Ａ２（ＲＧＢ）、Ａ３（ＲＧＢ）、Ａ４（ＲＧＢ）、Ａ５（ＲＧＢ）、Ａ６（ＲＧＢ）、Ａ７（ＲＧＢ）、Ａ８（ＲＧＢ）、Ａ９（ＲＧＢ）が上下左右に並んでいるとき、Ａ５（Ｒ）に対してＡ５（Ｒ）＝Ａ１（Ｒ）×ｑ１＋Ａ２（Ｒ）×ｑ２＋Ａ３（Ｒ）×ｑ３＋Ａ４（Ｒ）×ｑ４＋Ａ５（Ｒ）×ｑ５＋Ａ６（Ｒ）×ｑ６＋Ａ７（Ｒ）×ｑ７＋Ａ８（Ｒ）×ｑ８＋Ａ９（Ｒ）×ｑ９という演算を行い、Ｇ、Ｂについても同様の演算を行う。ここでのｑがパラメータであり、この数値（係数）を変えることにより異なったエフェクト処理ができる。
【００６９】
また、タッチ（以下、「筆触」と呼ぶ）が異なるように加工するエフェクト処理もある。
具体的には、画像データを構成する画素から、色などを基準として相関の高い画素を集め、グループを形成する。続いて、それぞれのグループの画素に対して、同一のグループの画素については色を該グループの代表色に置き換える。
【００７０】
こうして色を代表色に置き換えられた画素のグループがそれぞれの筆触を形成する。かかる画像加工処理によると、グループとして集められる画素の相関の取り方、及び同一の色（代表色）の画素により構成されるグループの形状（長さ（距離）、扁平度）を変化させることによって、形成される筆触を変化させることができ、結果的に、画像データが表す画像の画調を様々な絵画調に変更することができる。そして各種画調毎に、それぞれの処理で用いる相関度、グループの形状を表す長さ、扁平度などのパラメータの最適な組み合わせが設定されている。
【００７１】
複数の画像データの各々を異なる筆触に変更することは、画調を変更する際に、筆触を構成する画素を集めたグループの形状、例えば、グループの扁平度を調整することによって実現できる。筆触を表す同一の色の画素によって構成されるグループの扁平度を大きくすると、筆触は太くなり、結果として画像のタッチは荒く表示される。同一の色の画素によって構成されるグループの扁平度を小さくすると、小さな筆触を作り出すことができ、結果として、画像のタッチが細かく表示される。
【００７２】
以上詳述した絵画変換アルゴリズムはＳＮＳサイト１０の制御エリア３００の絵画変換処理部３０２に記憶されており、パラメータ群は同じく制御エリア３００のパラメータテーブル３０４に記憶されている。
【００７３】
次に、図１３を参照して具体的な絵画変換処理を行うフローチャートを説明する。
サーバー１１においては、図９に示した絵画変換処理部３０２が先ず前処理を行う（ステップＳＣ１０１）。ここは画調の種類にかかわらず共通して実行される処理である。
【００７４】
上述したようなエフェクト処理は各画素に対して行うため、画像データはビットマップ形式である必要がある。そこで絵画変換処理部３０２は、通常はＪＰＥＧ形式で表現されている画像データをビットマップ形式に変換する。
【００７５】
また、絵画変換処理部３０２は、アップロードされる画像データのサイズは様々なので、これを表示エリアの画素数、例えば８００×６００画素にリサイズする。大きい画像は縮小し、小さい画像は拡大する。これは、サイズが決まっていた方がパラメータも固定で済み、処理が効率的だからである。もちろん、後述する本画像の絵画変換の際はアップロードされた画像データのサイズそのままに対して絵画変換を行う。
【００７６】
次に、絵画変換処理部３０２は、顔検出処理によって変換対象の画像が顔を含んでいるかどうかを確認する（ステップＳＣ１０２）。これは、画像内の顔部分に極端な変換をかけると顔部分が不自然になるので、顔部分は特にきめ細かく絵画変換処理するためである。
【００７７】
この顔検出処理は、１枚の画像の中でも顔の領域と背景、中央部分と周辺部分では重要度が変わってくるので、顔検出処理において絵画変換処理部３０２は、処理対象の画像に関する重要度マップのデータを作成し、それを制御エリア３００の重要度マップ３０６に記憶する。
【００７８】
続いて、絵画変換処理部３０２は、ユーザに、油絵調、水彩画調、パステル調、色鉛筆画調、・・・等の中から希望する画調を選択させる（ステップＳＣ１０３）。
【００７９】
絵画変換処理部３０２は、画調が選択されると、それぞれの絵画変換アルゴリズムのフローへ移る。例えば油絵調変換であればステップＳＣ１０４へ、水彩画調変換であればステップＳＣ１０５へ進む。それ以外であればその他の絵画変換アルゴリズムのフローへと進む（ステップＳＣ１０６）。なお、絵画変換処理部３０２は、各アルゴリズムを実行する際、制御エリア３００のパラメータテーブル３０４と重要度マップ３０６とを参照する（ステップＳＣ１０７、ＳＣ１０８、ＳＣ１０９、ＳＣ１１０）。
【００８０】
ステップＳＣ１０４，ＳＣ１０５，ＳＣ１０６の絵画変換に際して絵画変換処理部３０２は、一覧表示されている表示画面サイズの画像データを対象として絵画変換する。なお、変換後の画像はユーザの端末１へ送られるとともに、端末１において画面表示される。その後、絵画変換処理部３０２は、ユーザの端末１から決定が指示されれば（ステップＳＣ１１２：ＹＥＳ）、本画像の絵画変換へと進み（ステップＳＣ１１３）、他の画調でやり直すことが指示されれば（ステップＳＣ１１２：ＮＯ）、ステップＳＣ１０３の処理へ戻る。
【００８１】
ステップＳＣ１１３の本画像の絵画変換に際して絵画変換処理部３０２は、ステップＳＣ１１２で決定した絵画変換アルゴリズムでパラメータテーブル３０４と重要度マップ３０６を参照しながら絵画変換を行う（ステップＳＣ１１４，ＳＣ１１５）。同じ画調であっても画像サイズが異なると適切なパラメータは異なってくるので、ステップＳＣ１１５で参照するパラメータテーブルはステップＳＣ１０７若しくはＳＣ１０８で取得したパラメータとは別のものとなる。
【００８２】
しかる後、絵画変換処理部３０２は、絵画変換後の本画像を再びＪＰＥＧ形式に変換する後処理を行う（ステップＳＣ１１６）。
【００８３】
図１４は、アップロード・投稿処理の処理手順を示すフローチャートである。
サーバー１１は、会員端末からの画像（写真）のアップロードを受け付け、アップロード画像バッファエリア１０６に記憶する（ステップＳＤ１０１）。また、会員端末からの選択指示に応じて変換する絵画調の種類を選択し（ステップＳＤ１０２）、この選択した種類で前記アップロードされた画像を絵画変換する（ステップＳＤ１０３）。
【００８４】
しかる後に、前記ステップＳ５０３で絵画変換した画像を作品バッファエリア１０８に記憶させる（ステップＳＤ１０４）。投稿する場合は、作品エリア２０２に移動させる（ステップＳＤ１０５）。また、画像属性情報２０６として、その作品の投稿者を示す会員ＩＤ２０６Ａや投稿日付等の日付情報２０６Ｂを書き込む。
【００８５】
図１５は、閲覧処理の処理手順を示すフローチャートである。サーバー１１は、作品の一覧表示画面を会員端末に送信する（ステップＳＥ１０１）。
一覧表示画面は表示バッファ３０に展開するが、その中で互いにグルーピングされている作品があるか否かを検出する（ステップＳＥ１０２）。ある場合には、図６で示したような結びつき表示Ｌを表示する（ステップＳＥ１０３）。無い場合はステップＳＥ１０３をスキップして作品選択ステップに移る。
【００８６】
そして、会員端末からの選択指示に応じて、一覧表示画面から選択されたいずれかの作品を選択する（ステップＳＥ１０４）。引き続き、この選択した作品の絵画変換する前の画像である本画像が会員端末に表示されるように制御するとともに、選択した作品をダウンロードさせる（ステップＳＥ１０５）。
【００８７】
ステップＳＥ１０６でダウンロードした画像データの本画像を絵画変換するために、絵画調の種類を選択する（ステップＳＥ１０６）。しかる後に、ステップＳＥ１０７に進んで、図１３のフローチャートにより絵画変換処理を行う。
【００８８】
このとき、各絵画調に変換するには多数のパラメータを使用するが、既に絵画変換されている画像データを別の種類の絵画調画像データに絵画変換する場合は、相性というものがあり、あまり不自然にならないように絵画変換ある場合と、いかにも不自然な画像である場合がある。そこで、既に絵画変換されている絵画調画像データのパラメータと、ステップＳＥ１０６で選択されてステップＳＥ１０７で絵画変換に用いられたパラメータとを比較する（ステップＳＥ１０８）。比較したパラメータの値が所定範囲上離れていないかどうかを調べる。パラメータの値があまり離れていると、不自然な画像となる可能性が高いからである。所定範囲以上離れていると判断されるとステップＳＥ１０６へ戻り、別の種類の絵画調の選択をうながす。
【００８９】
上述したように、画調の種類が１２種類あるとすると、パラメータ群Ｐ（１）〜Ｐ（１２）があり、各パラメータ群にはパラメータＰ１〜Ｐｍが存在する。そこで、対応関係にあるパラメータすべて比較してもよいし、特に画調に影響を強く与える特定のパラメータだけを選択して比較してもよい。パラメータ比較の結果、所定範囲以上離れていると判断した場合は、ステップＳＥ１０６に戻り、他の種類の絵画調の選択を促す。パラメータの比較結果が所定範囲内に収まっていれば、ステップＳＥ１０９に進む。
【００９０】
なお、同じ絵画調でも、元となる画像データの種類によってパラメータの値は変わってくるので、例えば油絵調から水彩画調に変換することは常に可能で色鉛筆画調に変換することが常に不可能、という関係になるわけではない。ある画像データは、油絵調から水彩画調に変換可能だったが、別の画像データは油絵調から水彩画調に変換不能ということもありうる。同じ絵画調同士、すなわち油絵調から油絵調へ変換する場合はほぼ問題ないが、範囲の設定し方次第では変換不能となる場合もある。もちろん、同じ絵画調の種類の場合はステップＳＥ１０８のパラメータの比較をスキップしてもよい。
【００９１】
そして、ステップＳＥ１０９で作品バッファエリア１０８へ新たな作品として記憶し、ステップＳＥ１１０で投稿処理を行う。
【００９２】
さらに、ステップＳＥ１１１で、新たな作品を作り出した会員と、その元となった作品を投稿した会員のグルーピング処理を行う。このグルーピングの組み合わせは、絵画変換されていない画像データを投稿したＡさんと、絵画調画像データへ変換したＢさんの場合、Ｂさんの作品である既に絵画調になっている画像データを他の種類の絵画調画像データに変換したＣさんの場合、同じＡさんの作品から違う種類の絵画調に変換したＢさんとＤさんの場合が考えられる。グルーピングの具体的な処理は、両者の会員属性情報１０４のグループリスト１０４Ｋ並びに会員エリア１００のグループリストエリア１１８に同じグループであることを示す情報を書き込む。
【００９３】
図１６は、所定時期に実行されるグルーピング更新のフローチャートを示す図である。
上述したように、他人の作品を利用して新たな作品を場合、その両者をグルーピング化するが、グルーピング化の条件は他にもある。例えば、自分の作品である絵画調画像データとパラメータが非常に近い絵画調画像データの作品を保有する会員をグルーピングするもの。コピーは別として、パラメータの組み合わせは無限に近いほどあるので、独自に作成した作品のパラメータが近いということは、作風や好みが似ていることを意味する。そこでパラメータ値が所定以上近い場合は、グルーピングする実施形態が考えられる。しかしすべての作品の対比をしていると膨大な演算量になるので、会員自身が、自分の作品を特定し、検索範囲を指定して、その検索範囲内で検索する（ステップＳＦ１０２）。
【００９４】
そして、絞り込まれた作品のパラメータを比較する（ステップＳＦ１０４）。引き続き、会員毎の各種会員属性情報１０４におけるグループリスト１０４Ｋを更新する（ステップＳＦ１０６）。したがって、図１６のフローチャートに示した処理が実行されることにより、パラメータが近い作品のグループ化が実現されることとなる。
【００９５】
しかる後に、グルーピングされた会員に共通の情報を発信する（ステップＳＦ１０８）。この発信する情報の作成者は、各会員、サーバー１１の管理者、グループの管理者のいずれであってもよい。
【００９６】
図１７は、図１５のフローチャートにおけるステップＳＥ１０８及び図１６のフローチャートにおけるステップＳＦ１０４の詳細な手順を示すフローチャートである。
先ず、作品Ｗ１とＷ２で共通のパラメータを抽出する（ステップＳＧ１）。本実施の形態で絵画変換に用いられるパラメータがＰ１〜Ｐｍのｍ個あったとすると、その中で作品Ｗ１とＷ２で共に用いているパラメータＰ１、Ｐ２、Ｐ６、・・・Ｐ１０、・・・Ｐｘを抽出する。
【００９７】
次に、これら抽出した共通のパラメータの値を比較する（ステップＳＧ２）。つまり、作品Ｗ１のパラメータの値Ｐ１であるＷ１（Ｐ１）と、作品Ｗ２の同一のパラメータの値Ｐ１であるＷ２（Ｐ１）とを比較して差を求める。また、作品Ｗ１のパラメータの値ＰｘであるＷ１（Ｐｘ）と、作品Ｗ２の同一のパラメータの値ＰｘであるＷ２（Ｐｘ）とを比較して差を求める。
【００９８】
次に、これら２つの作品Ｗ１、Ｗ２の共通するすべてのパラメータ値、つまり下記パラメータ値の差が±２０％以内に収まっているか否かを判断する（ステップＳＧ３）。
このステップＳＧ３の判断がＹＥＳである場合には、図１５のフローチャートにおけるステップＳＥ１０８の判断がＹＥＳとなることになる。
【００９９】
しかし、ステップＳＧ３の判断がＮＯである場合には、±２０％以内に収まっていないパラメータの数は２個以内であるか否かを判断する（ステップＳＧ４）。±２０％以内に収まっていないパラメータの数は２個を上回る場合には、絵画変換をＮＧにして図１５のフローチャートにおけるステップＳＥ１０６に戻る。
【０１００】
また、ステップＳＧ３またはステップＳＧ４のいずれかの判断がＹＥＳである場合には、ステップＳＧ６に進み、２つの作品Ｗ１、Ｗ２の共通するすべてのパラメータ値が±５％以内に収まっているか否かを判断する（ステップＳＧ６）。このステップＳＧ６判断がＮＯである場合には、ステップＳＧ７の処理を行うことなく、図１６のフローチャートにおけるステップＳＦ１０６へ進み、ＹＥＳである場合にはグルーピング（ステップＳＧ７）を実行した後、ステップＳＦ１０６へ進む。
【０１０１】
図１８は、グルーピング（ステップＳＧ７）の詳細な手順を示すフローチャートである。まず、図１５のフローチャートにおけるステップＳＥ１０７で絵画変換を行ったのは、自分自身の作品に対してか否かを判断する（ステップＳＨ１）。自分自身の作品に対して絵画変換を行ったのであれば、グルーピングを実行する必要はないのであるから、このフローに従った処理を終了する。
【０１０２】
しかし、ステップＳＥ１０７で絵画変換を行ったのが自分自身の作品に対してではなく、他人の作品に対してである場合には、この絵画変換した元の画像データはオリジナル画像データであるか否かを判断する（ステップＳＨ２）。絵画変換した元の画像データがオリジナル画像データである場合には、当該会員においてそのオリジナル画像データを絵画変換した作品は他にあるか否かを判断する（ステップＳＨ３）。当該会員においてそのオリジナル画像データを絵画変換した作品は他になく、始めてである場合には、
（１）前記オリジナル画像データをアップロードした会員と、前記画像データを前記絵画変換手段により絵画調画像データに変換した会員と（当該会員）をグルーピングする（ステップＳＨ６）。
【０１０３】
したがって、このステップＳＨ６での処理により、図１９（ａ）にグルーピング（１）の例として示すように、オリジナル画像データをアップロードした会員Ａと、この画像データを絵画調画像データに変換した会員Ｂとがグループｇ１としてグルーピングされる。また、会員Ａがアップロードしたオリジナル画像データを絵画変換した会員が複数いる場合には、このステップＳＨ６の処理が複数回実行されることにより、図２０に示すように、オリジナル画像データをアップロードした会員Ａと、この画像データを絵画調画像データに変換した会員Ｂ，Ｃ，Ｅ，Ｆがグループｇ１にグルーピングされる。
また、会員Ｉがアップロードしたオリジナル画像データを絵画変換した会員が複数いる場合には、このステップＳＨ６の処理が複数回実行されることにより、図２０に示すように、オリジナル画像データをアップロードした会員Ｉと、この画像データを絵画調画像データに変換した会員Ｈ，Ｋ，Ｌがグループｇ１１にグルーピングされる。
【０１０４】
他方、図１８のフローチャートにおいて、ステップＳＨ３の判断がＮＯであった場合には、オリジナル画像データを他にもある絵画調画像データに変換した会員と今回絵画変換した会員は同じ会員であるか否かを判断する（ステップＳＨ４）。同じ会員であれば、グルーピングを実行する必要はないのであるから、このフローに従った処理を終了する。しかし、同じ会員でなく他の会員であるならば、
（２）前記オリジナル画像データを絵画調画像データに変換した会員と、今回絵画変換した会員（当該画像データを他の種類の絵画調画像データに変換した会員）とをグルーピングする（ステップＳＨ７）。
【０１０５】
したがって、このステップＳＨ７での処理により、図１９（ｂ）にグルーピング（２）の例として示すように、会員Ａがアップロードしたオリジナル画像データを絵画調画像データに変換した会員Ｂ、Ｃとがグループｇ２としてグルーピングされる。また、会員Ａのオリジナル画像データを絵画変換した会員が更に多数いる場合には、このステップＳＨ７の処理が多数回実行されることにより、図２０に示すように、会員Ａのオリジナル画像データを絵画調画像データに変換した会員Ｂ，Ｃ，Ｅ，Ｆがグループｇ２にグルーピングされる。
また、会員Ｉがアップロードしたオリジナル画像データを絵画変換した会員が複数いる場合には、このステップＳＨ７の処理が複数回実行されることにより、図２０に示すように、このオリジナル画像データ絵画調画像データに変換した会員Ｈ，Ｋ，Ｌがグループｇ２２にグルーピングされる。
【０１０６】
更に、図１８のフローチャートにおいて、ステップＳＨ２の判断がＮＯであって、絵画変換された画像データがオリジナル画像データで無かった場合、つまり元の絵画調画像データから他の絵画調画像データに絵画変換された場合には、元の画像データを絵画変換した会員と今回絵画変換した会員とが同じ会員であるか否かを判断する（ステップＳＨ５）。同じ会員であれば、グルーピングを実行する必要はないのであるから、このフローに従った処理を終了する。しかし、同じ会員でなく他の会員であるならば、
（３）前記オリジナル画像データを絵画調画像データに変換した会員と、当該絵画調画像データを更に他の種類の絵画調画像データに変換した会員とをグルーピングする（ステップＳＨ８）。
【０１０７】
したがって、このステップＳＨ８での処理により、図１９（ｃ）にグルーピング（３）の例として示すように、会員Ａがアップロードしたオリジナル画像データを絵画調画像データに変換した会員Ｂと、この会員Ｂの絵画調画像データを他の画調に絵画変換したＤとがグループｇ３としてグルーピングされる。また、会員Ｂの絵画調画像データを他の絵画調に変換した会員が更に多数いる場合には、このステップＳＨ７の処理が多数回実行されることにより、図２０に示すように、会員Ｂとその絵画調画像データを他の絵画調に変換した会員Ｄ、Ｇ、Ｈがグループｇ３にグルーピングされる。
また、会員Ｉがアップロードしたオリジナル画像データを絵画変換した会員Ｌの絵画調画像データを他の絵画調画像データに変換した会員Ｍがいる場合には、このステップＳＨ８の処理が実行されることにより、図２０に示すように、会員ＬとＭがグループｇ３３にグルーピングされる。
【０１０８】
以上のようにして、ステップＳＨ６、ＳＨ７、ＳＨ８のいずれかを実行したならば、グルーピング制御部３１４によりグループリスト１０４ｋ及びグループリストエリア１１８を更新する。
なお、図２０において、会員Ｈが絵画変換した絵画調画像データと会員Ｍが絵画変換した絵画調画像データとのパラメータが近似する場合には、前述した図１６のフローチャートにおけるステップＳＦ１０４の処理内容を示す図１７のフローチャートのステップＳＧ７により、会員ＨとＭがグループｇ４としてグルーピングされることとなる。
したがって、以上の処理が実行されて、図１６のフローチャートに示したステップＳＦ１０８でグルーピングされた会員に情報が発信されることにより、下記のような効果を奏する。
【０１０９】
以上の構成に係る本実施の形態によれば、変換画像や作品を通してコミュニケーションを活性化やコミュニティを作成する事を促進する為に、好みの画像をお互いに共有化させる為に、良く使用する変換種類やお気に入りの変換種で内部的に会員をグループ化し、作品の共有化やイベント案内をグループごとに告知をし、コミュニケーションやコミュニティ化を効率良く促進することができる。
また、変換種類ごとのギャラリー（展示）やカテゴリー分けも可能になり、今後も変換種類が増えて行く中では効率的、効果的にその好みに分けてグループ化を行い、コミュニケーションやコミュニティを活性化させることもできる。
【０１１０】
更に、一般的なＳＮＳでも共通の趣味などのフレンド機能はあるが、物理的な距離に影響を与えるものではなかった。しかし本実施形態によれば、リスト端末の形態にしたので、リスト端末を腕に装着した会員同士が所定範囲内に近づいたら報知するなど新しい楽しみ方を創造できる。
【０１１１】
なお、上記実施形態では、絵画変換ＳＮＳシステムとリスト端末の実施形態を説明したが、この技術思想は絵画変換ＳＮＳシステム以外のソーシャル・ネットワーク・サービスにも適用できる。
更に、上記実施形態では、所定の関連性のある会員をグルーピングしたが、所定の関連性のある作品をグルーピングするソーシャル・ネットワーク・サービスにも適用できる。
【０１１２】
例えば、下記に示す画像ＳＮＳシステムにも適用できる。
会員端末からオリジナル画像データをサーバーにアップロードして会員間で閲覧可能にネットワーク上に公開する絵画変換ＳＮＳシステムにおいて、
複数公開した画像データを閲覧可能に表示する表示手段と、
前記画像データを公開した会員と、該公開した画像データと所定の関連性のある会員とを自動的にグルーピングするグルーピング手段と
を含み、
前記会員端末は、腕に装着可能で表示部を備えたリスト端末と無線によりデータ交換可能であり、前記グルーピングされている会員同士の前記リスト端末が、所定の範囲内に近づいたとき、該近づいた会員のプロフィール画像を自動的に表示する報知手段を備えることを特徴とする画像ＳＮＳシステム。
【０１１３】
また、
会員端末からオリジナル画像データをサーバーにアップロードして会員間で閲覧可能にネットワーク上に公開する絵画変換ＳＮＳシステムにおいて、
複数公開した画像データを閲覧可能に表示する表示手段と、
前記画像データを公開した会員と、該公開した画像データと所定の関連性のある会員とを自動的にグルーピングするグルーピング手段と
を含み、
前記会員端末は、腕に装着可能で表示部を備えたリスト端末と無線によりデータ交換可能であり、前記リスト端末は、前記表示部に前記絵画調画像データを表示するとともに、センサを備え、該センサが縦方向（または横方向）に画面送り操作を検出すると、異なる画像データを順次表示していき、横方向（または縦方向）に画面送り操作を検出すると、グルーピングされている他の会員のプロフィール画像を順次表示していくことを特徴とする画像ＳＮＳシステム
にも適用することできる。
【０１１４】
さらに、
会員端末からオリジナル画像データをサーバーにアップロードして会員間で閲覧可能にネットワーク上に公開するＳＮＳシステムにおいて、
複数公開した画像データを閲覧可能に表示する表示手段と、
前記画像データを公開した会員と、該公開した画像データと所定の関連性のある会員とを自動的にグルーピングするグルーピング手段と
を含み、
前記会員端末は、腕に装着可能で表示部を備えたリスト端末と無線によりデータ交換可能であり、前記リスト端末は、前記表示部に１枚の画像データを表示するとともに、センサを備え、該センサが前記表示部に縦方向（または横方向）に画面送り操作を検出すると、当該表示している画像データとは異なる画像データを順次表示していき、横方向（または縦方向）に画面送り操作を検出すると、グルーピングされている他の会員の画像データを順次表示していくことを特徴とする画像ＳＮＳシステム
にも適用することができる。
【０１１５】
さらに、
会員端末からオリジナル画像データをサーバーにアップロードして絵画調画像に変換し、会員間で閲覧可能にネットワーク上に公開する絵画変換システムにおいて、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした画像データと、絵画変換に関して所定の関連性のある画像データとを自動的にグルーピングするグルーピング手段と
を備えることを特徴とする絵画変換ＳＮＳシステム
にも適用することできる。
この絵画変換ＳＮＳシステムのグルーピングの種類には以下のようなものがある。
（１）オリジナル画像データと、前記オリジナル画像データを前記絵画変換手段により絵画調画像データに変換した画像データとをグルーピングする。
（２）前記オリジナル画像データを絵画調画像データに変換した画像データと、当該変換した画像データを他の種類の絵画調画像データに変換した画像データとをグルーピングする。
（３）前記オリジナル画像データを絵画調画像データに変換した会員と、当該絵画調画像データを更に他の種類の絵画調画像データに変換した会員とをグルーピングする。
【０１１６】
以上、この発明の実施形態について説明したが、この発明はこれらに限定されるものではなく、特許請求の範囲に記載された発明とその均等の範囲を含むものである。
【０１１７】
以下に、本願出願時の特許請求の範囲を付記するとともに、請求項２以下の発明が奏する効果を記載する。
【０１１８】
＜請求項１＞
会員端末からオリジナル画像データをサーバーにアップロードして絵画調画像に変換し、会員間で閲覧可能にネットワーク上に公開する絵画変換システムにおいて、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、絵画変換に関して所定の関連性のある会員とを自動的にグルーピングするグルーピング手段と
を備えることを特徴とする絵画変換ＳＮＳシステム。
【０１１９】
＜請求項２＞
前記グルーピング手段は、
前記オリジナル画像データをアップロードした会員と、前記画像データを前記絵画変換手段により絵画調画像データに変換した会員とをグルーピングする
ことを特徴とする請求項１記載の絵画変換ＳＮＳシステム。
【０１２０】
請求項２記載の発明によれば、自分がアップロードしたオリジナル画像データ（作品）を絵画変換してくれた会員と自分とをグルーピングするので、親近感が高められ、フレンド関係にも発展しうるグルーピングを構成することができ、コミュニケーションの活性化を図ることができる。
【０１２１】
＜請求項３＞
前記グルーピング手段は、
前記オリジナル画像データを絵画調画像データに変換した会員と、当該画像データを他の種類の絵画調画像データに変換した会員とをグルーピングする
ことを特徴とする請求項１または２に記載の絵画変換ＳＮＳシステム。
【０１２２】
請求項３記載の発明によれば、共通のオリジナル画像データ（作品）に注目した会員同士をグルーピングするので、結果的に同じ作品を気に入った会員同士をグルーピングすることができる。更に、同じ作品を異なる種類の絵画調画像データに変換を試みた会員同士をグルーピングするので、互い比較したり、感想を述べたりして、共通のコミュニケーションを図ることができる。
【０１２３】
＜請求項４＞
前記グルーピング手段は、
前記オリジナル画像データを絵画調画像データに変換した会員と、当該絵画調画像データを更に他の種類の絵画調画像データに変換した会員とをグルーピングする
ことを特徴とする請求項１乃至３に記載の絵画変換ＳＮＳシステム。
【０１２４】
請求項４記載の発明によれば、既に絵画変換されている作品の会員と、それを更に他の種類に絵画変換する会員とをグルーピングするので、同じ作品に注目した会員同士で、より適した種類の絵画調を試したり比較したりして、作品のブラッシアップを図るコミュニケーションを図ることができる。
【０１２５】
＜請求項５＞
前記絵画変換手段は、
選択された種類で既に絵画変換されている絵画調画像データを更に他の種類の絵画調画像データに変換する際に、一旦、変換前の画像データに戻してから新たに前記他の種類の絵画調画像データに変換することを特徴とする請求項１乃至４に記載の絵画変換ＳＮＳシステム。
【０１２６】
請求項５記載の発明によれば、既に絵画変換されている作品の会員と、元となった作品を他の種類に絵画変換する会員とをグルーピングするので、同じ作品に注目した会員同士で、より適した種類の絵画調を試したり比較したりして、作品のブラッシアップを図るコミュニケーションを確立することができる。
【０１２７】
＜請求項６＞
前記絵画変換手段は、
選択された種類で既に絵画変換されている絵画調画像データを更に他の種類の絵画調画像データに変換する際に、前記パラメータが所定以上異なっている場合は変換を禁止することを特徴とする請求項１乃至４に絵画変換ＳＮＳシステム。
【０１２８】
請求項６記載の発明によれば、絵画変換のパラメータが所定以上異なっている場合は変換を禁止するので、あまりにも不自然な絵画調になってしまうことを防止することができる。
【０１２９】
＜請求項７＞
前記グルーピング手段は、
選択された種類で既に絵画変換されている絵画調画像データを更に他の種類の絵画調画像データに変換する際に、前記パラメータが所定以上異なっている場合はグルーピングしないことを特徴とする請求項１乃至４に記載の絵画変換ＳＮＳシステム。
【０１３０】
請求項７記載の発明によれば、絵画変換のパラメータが所定以上異なっている場合はグルーピングしないので、あまりにも不自然な絵画調になってしまうことを防止することができる。
【０１３１】
＜請求項８＞
前記グルーピング手段は、
会員が、前記絵画変換手段により画像データを絵画調画像データに変換した際のパラメータが、所定以上近い絵画調画像データを作成した会員を互いにグルーピングし、グルーピング情報を作成することを特徴とする請求項１記載の絵画変換ＳＮＳシステム。
【０１３２】
請求項８記載の発明によれば、絵画調の種類にかかわらず、偶然にもパラメータが近い作品を作った会員同士をグルーピングするので、意外性や驚きもあり、新鮮なコミュニケーションを実現することができる。
【０１３３】
＜請求項９＞
前記閲覧制御手段は、
前記会員端末に複数の絵画調画像データを一覧表示させ、且つ、前記グルーピングされている会員の絵画調画像データを一連のつながりで表示させることを特徴とする請求項１乃至８いずれかに記載の絵画変換ＳＮＳシステム。
【０１３４】
請求項９記載の発明によれば、作品を一覧表示したときに、グルーピングされている会員の作品が一目瞭然でわかるので、会員同士のコミュニケーションを図りやすい効果がある。
【０１３５】
＜請求項１０＞
前記会員端末は、
更に、腕に装着可能で表示部を備えたリスト端末と無線によりデータ交換可能であることを特徴とする請求項１乃至９いずれかに記載の絵画変換ＳＮＳシステム。
【０１３６】
請求項１０記載の発明によれば、腕に装着可能なリスト端末を用意することで、外出先などどこにいてもコミュニケーションを図ることができる。
【０１３７】
＜請求項１１＞
前記リスト端末は、
前記ネットワーク上に公開された画像データまたは絵画調画像データを前記表示部で閲覧可能であることを特徴とする請求項１２記載の絵画変換ＳＮＳシステム。
【０１３８】
請求項１１記載の発明によれば、逐一パソコンやスマートフォンをオンしなくても腕に装着したリスト端末でいつでもどこでも作品を閲覧することができる。
【０１３９】
＜請求項１２＞
前記グルーピングされている会員同士の前記リスト端末が、所定の範囲内に近づいたとき、報知を行う報知手段を更に備えることを特徴とする請求項１０または１１いずれかに記載の絵画変換ＳＮＳシステム。
【０１４０】
請求項１２記載の発明によれば、会員が端末をバッグ等にしまっていても、腕時計としてリスト端末を装着していれば、手軽に自己又はフレンド会員やグルーピングされている会員が近くにいるときに気が付くことができる。
【０１４１】
＜請求項１３＞
前記リスト端末が備える前記報知手段は、
常時は時刻情報を表示しており、前記所定の範囲内に近づいたとき、前記グルーピングしている会員のプロフィール画像データを表示するものであることを特徴とする請求項１２記載の絵画変換ＳＮＳシステム。
【０１４２】
請求項１３記載の発明によれば、会員が端末をバッグ等にしまっていても、腕時計としてリスト端末を装着していれば、手軽に自己又はフレンド会員やグルーピングされている会員のプロフィール画像を見ることができる。
【０１４３】
＜請求項１４＞
前記リスト端末が備える前記報知手段は、
常時は時刻情報を表示しており、前記所定の範囲内に近づいたとき、前記グルーピングしている会員の絵画調画像データを表示することを特徴とする請求項１２記載の絵画変換ＳＮＳシステム。
【０１４４】
請求項１４記載の発明によれば、会員が端末をバッグ等にしまっていても、腕時計としてリスト端末を装着していれば、手軽に自己又はフレンド会員やグルーピングされている会員の作品を閲覧することができる。
【０１４５】
＜請求項１５＞
前記リスト端末は、
前記サーバーとインターネットを介して接続可能なことを特徴とする請求項１１乃至１４いずれかに記載の絵画変換ＳＮＳシステム。
【０１４６】
請求項１５記載の発明によれば、これにより、スマートフォン型端末を経由しなくても、直接サーバーとリスト端末でデータの授受ができる。
【０１４７】
＜請求項１６＞
前記リスト端末は、
前記表示部に前記絵画調画像データを表示するとともに、第１の方向に画面送り操作をすると、異なる種類の絵画調画像データを順次表示していき、前記第１の方向と交差する第２の方向に画面送り操作をすると、前記グルーピングされている他の会員のプロフィール画像を順次表示していくことを特徴とする請求項１１乃至１５いずれかに記載の絵画変換ＳＮＳシステム。
【０１４８】
請求項１６記載の発明によれば、表示の小さなリスト端末であっても、色々な会員のプロフィール画像を効率的に見ることができる。
【０１４９】
＜請求項１７＞
前記リスト端末は、
前記表示部に１枚の前記絵画調画像データを表示するとともに、第１の方向に画面送り操作をすると、当該表示している絵画調画像データの種類とは異なる種類の絵画調画像データを順次表示していき、前記第１の方向と交差する第２の方向に画面送り操作をすると、前記グルーピングされている他の会員の絵画調画像データが順次表示していくことを特徴とする請求項１１乃至１５いずれかに記載の絵画変換ＳＮＳシステム。
【０１５０】
請求項１７記載の発明によれば、表示の小さなリスト端末であっても、色々な会員の作品を効率的に閲覧することができる。
【０１５１】
＜請求項１８＞
前記リスト端末はセンサを備え、前記送り操作は該センサの検知信号によって行うことを特徴とする請求項１６または１７に記載の絵画変換ＳＮＳシステム。
【０１５２】
請求項１８記載の発明によれば、表示の小さなリスト端末であっても、キー操作をすることなく色々な会員のプロフィール画像や作品を効率的に見ることができる。
【０１５３】
＜請求項１９＞
前記リスト端末はセンサを備え、前記送り操作による該センサの検知信号によって前記絵画変換のためのパラメータを変更することを特徴とする請求項１０乃至１５に記載の絵画変換ＳＮＳシステム。
【０１５４】
請求項１９記載の発明によれば、表示の小さなリスト端末であっても、キー操作することなく色々な種類の絵画変換を行うことができる。
【０１５５】
＜請求項２０＞
会員端末からオリジナル画像データをサーバーにアップロードして絵画調画像に変換し、会員間で閲覧可能にネットワーク上に公開する絵画変換ＳＮＳの方法であって、
前記サーバーは、
前記会員端末とデータを送受信する処理と、
複数種類の絵画調の中から種類を選択し、画像データをパラメータに応じて絵画調画像データに変換する絵画変換処理と、
前記選択された種類で絵画変換された絵画調画像データを前記会員端末にて閲覧可能にする閲覧制御処理と、
前記オリジナル画像データをアップロードした会員と、絵画変換に関して所定の関連性のある会員とを自動的にグルーピングしグルーピング情報を作成する処理と、
前記会員端末と無線接続されるリスト端末と、前記グルーピング情報を含むデータを送受信する処理と
を含むことを特徴とする絵画変換ＳＮＳの方法。
【０１５６】
請求項２０記載の発明によれば、オリジナル画像データをアップロードした会員と、絵画変換に関して所定の関連性のある会員とを自動的にグルーピングしグルーピング情報を作成して、リスト端末とグルーピング情報を送受信できるので、リスト端末を保持しグルーピングされた会員同士でコミュニケーションを図ることができる。
【０１５７】
＜請求項２１＞
前記グルーピングした会員に共通に情報を発信する処理を更に含むことを特徴とする請求項２０記載の絵画変換ＳＮＳの方法。
【０１５８】
請求項２１記載の発明によれば、グルーピングした会員に共通に情報を発信するので、共通の絵画変換に関して関心のある会員同士で情報を共有化することができる。
【０１５９】
＜請求項２２＞
会員端末からアップロードされたオリジナル画像データを絵画調画像に変換し、会員間で閲覧可能にネットワーク上に公開する絵画変換ＳＮＳ装置において、
複数種類の絵画調の中から種類を選択し、画像データをパラメータに応じて絵画調画像データに変換する絵画変換手段と、
前記絵画変換手段により選択された種類で絵画変換された絵画調画像データを前記会員端末にて閲覧可能にする閲覧制御手段と、
前記オリジナル画像データをアップロードした会員と、絵画変換に関して所定の関連性のある会員とを自動的にグルーピングするグルーピング手段と
を含むことを特徴とする絵画変換ＳＮＳ装置。
【０１６０】
請求項２２記載の発明によれば、オリジナル画像データをアップロードした会員と、絵画変換に関して所定の関連性のある会員とを自動的にグルーピングしグルーピングできるので、共通の絵画変換に関して関心のある会員同士でコミュニケーションを図ることができる。
【０１６１】
＜請求項２３＞
会員端末からオリジナル画像データをサーバーにアップロードして絵画調画像に変換し、会員間で閲覧可能にネットワーク上に公開する公開手段と、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、前記絵画変換手段による絵画変換に関して所定の関連性のある会員とを自動的にグルーピングするグルーピング手段と
を備える絵画変換ＳＮＳシステムに用いるリスト端末であって、
前記会員端末とデータ交換可能に無線接続する無線接続手段と、
前記無線接続手段を介して前記会員端末から受信した絵画調画像データを表示する表示部と、
センサと、
前記表示部に前記絵画調画像データを表示するとともに、前記センサが第１の方向の画面送り操作を検出すると、異なる絵画調画像データを順次表示していき、前記第１の方向と交差する第２の方向の画面送り操作を検出すると、前記グルーピングされている他の会員のプロフィール画像を順次表示していく表示制御手段とを備え、
腕に装着可能であることを特徴とするリスト端末。
【０１６２】
請求項２３記載の発明によれば、表示画面の小さいリスト端末でも、容易にグルーピングされている他の会員のプロフィール画像を見ることができる。
【０１６３】
＜請求項２４＞
会員端末からオリジナル画像データをサーバーにアップロードして絵画調画像に変換し、会員間で閲覧可能にネットワーク上に公開する公開手段と、
複数種類の絵画調の中から種類を選択し、画像データをパラメータに応じて絵画調画像データに変換する絵画変換手段と、
前記絵画変換手段により前記種類で絵画変換された絵画調画像データを前記会員端末にて閲覧可能にする閲覧制御手段と、
前記オリジナル画像データをアップロードした会員と、前記絵画変換手段による絵画変換に関して所定の関連性のある会員とを自動的にグルーピングするグルーピング手段と
を備える絵画変換ＳＮＳシステムに用いるリスト端末であって、
前記会員端末とデータ交換可能に無線接続する無線接続手段と、
前記無線接続手段を介して前記会員端末から受信した画像データを表示する表示部と、
センサと、
前記表示部に１枚の前記絵画調画像データを表示するとともに、前記センサが第１の方向の画面送り操作を検出すると、当該表示している絵画調画像データの種類とは異なる種類の絵画調画像データが順次表示していき、前記第１の方向と交差する第２の方向の画面送り操作を検出すると、前記グルーピングされている他の会員のプロフィール画像を順次表示していく表示制御手段とを備え、
腕に装着可能であることを特徴とするリスト端末。
【０１６４】
請求項２４記載の発明によれば、表示画面の小さいリスト端末でも、容易に他の会員のプロフィール画像を見ることができ、更にその会員の絵画調画像データを見ることができる。
【０１６５】
＜請求項２５＞
絵画変換ＳＮＳシステムにおける前記絵画変換手段は、当該リスト端末の前記センサの検知信号により、公開した画像データを絵画調の画像データに変換する手段を備えることを特徴とする請求項２３または２４いずれかに記載のリスト端末。
【０１６６】
請求項２５記載の発明によれば、表示画面の小さいリスト端末でも、容易に絵画変換することができる。
【符号の説明】
【０１６７】
１−１、１−２、１−３    端末
２−１、２−２、２−３    リスト端末
１０    ＳＮＳサイト
１１    サーバー
２０    ＣＰＵ
３０    表示バッファ
３１    スマートフォン型端末の表示部
４０    リスト端末の表示部
１００    会員エリア
１０２    会員ＩＤ
１０４    会員属性情報
１０６    アップロード画像バッファエリア
１０８    作品バッファエリア
１１２    トップ画像記憶エリア
１１６    フレンドリストエリア
１１８    グループリストエリア
２０６    画像属性情報
２０６Ａ    会員ＩＤ
２０６Ｂ    日付情報
２０６Ｃ    画像種別情報
２０６Ｈ    グルーピング情報
２０６Ｊ    パラメータ群
２０６Ｋ    元画像保有会員のＩＤ
３０２    絵画変換処理部
３０４    パラメータテーブル
３０８    表示制御部
３１０    評価制御部
３１２    会員管理部
３１４    グルーピング制御部
５００    インターネット
Ａ、Ｂ、Ｃ、・・・会員
Ｐ１    プロフィール画像
Ｐ１Ａ、Ｐ１Ｂ、Ｐ１Ｃ、・・・会員Ａ、Ｂ、Ｃ、・・・のプロフィール画像
Ｗ１、Ｗ２、Ｗ３・・・作品
ＷＢ１、ＷＢ２、ＷＢ３、・・・会員Ｂの作品
ＷＤ１、ＷＤ２、ＷＤ３、・・・会員Ｄの作品
【図１】
0005641015.tif 000002
【図２】
0005641015.tif 000003
【図３】
0005641015.tif 000004
【図４】
0005641015.tif 000005
【図６】
0005641015.tif 000006
【図７】
0005641015.tif 000007
【図８】
0005641015.tif 000008
【図９】
0005641015.tif 000009
【図１０】
0005641015.tif 000010
【図１１】
0005641015.tif 000011
【図１２】
0005641015.tif 000012
【図１３】
0005641015.tif 000013
【図１４】
0005641015.tif 000014
【図１５】
0005641015.tif 000015
【図１６】
0005641015.tif 000016
【図１７】
0005641015.tif 000017
【図１８】
0005641015.tif 000018
【図１９】
0005641015.tif 000019
【図２０】
0005641015.tif 000020
【図２１】
0005641015.tif 000021
【図５】
0005641015.tif 000022